(57)【特許請求の範囲】
【請求項１】
太陽光を利用して発電を行う太陽電池と、前記太陽電池に並列接続されたバイパスダイオードと、を具備する太陽電池モジュールにおいて故障を検知する故障検知装置であって、
前記バイパスダイオードのオープンモード故障を検知する検知手段を備え、
前記検知手段は、前記太陽電池で発電が行われている際、前記バイパスダイオードのカソード側が接続された前記太陽電池の正極側と前記バイパスダイオードのアノード側が接続された前記太陽電池の負極側との間に所定の逆電圧値が印加されたときに、当該バイパスダイオードのオープンモード故障を検知し、
前記所定の逆電圧値は、前記バイパスダイオードに最大電流値の電流が流れたときにおける前記太陽電池の電圧降下値よりも大きい電圧降下値であること、を特徴とする故障検知装置。
【請求項２】
前記所定の逆電圧値は、前記バイパスダイオードに最大電流値の電流が流れたときにおける前記太陽電池の電圧降下値との間に、動作閾値に対する誤動作防止余裕である差分を有する、請求項１記載の故障検知装置。
【請求項３】
前記最大電流値は、太陽定数の日射量の太陽光が前記太陽電池の全面に照射された場合の前記太陽電池の短絡電流値であること、を特徴とする請求項１又２記載の故障検知装置。
【請求項４】
前記バイパスダイオードのオープンモード故障を前記検知手段で検知したとき、故障信号を含む信号を発信する信号発信装置と、
前記信号発信装置から前記信号を受信する信号受信装置と、
前記信号受信装置による前記信号の受信に応じて、前記バイパスダイオードのオープンモード故障に関する情報を表示する表示装置と、を備えたこと、を特徴とする請求項１〜３の何れか一項記載の故障検知装置。
【請求項５】
前記信号発信装置は、前記バイパスダイオードがオープンモード故障した前記太陽電池モジュールを識別するための固有値信号をさらに含む前記信号を発信すること、を特徴とする請求項４記載の故障検知装置。
【請求項６】
太陽光を利用して発電を行う太陽電池と、前記太陽電池に並列接続されたバイパスダイオードと、を具備する太陽電池モジュールが複数直列接続されてなる太陽電池ストリングを、少なくとも１つ備えた太陽光発電システムにおいて故障を検知する故障検知装置であって、
前記バイパスダイオードのオープンモード故障を検知する検知手段を備え、
前記検知手段は、前記太陽電池で発電が行われている際、前記バイパスダイオードのカソード側が接続された前記太陽電池の正極側と前記バイパスダイオードのアノード側が接続された前記太陽電池の負極側との間に所定の逆電圧値が印加されたときに、当該バイパスダイオードのオープンモード故障を検知し、
前記所定の逆電圧値は、前記バイパスダイオードに最大電流値の電流が流れたときにおける前記太陽電池の電圧降下値よりも大きい電圧降下値であること、を特徴とする故障検知装置。
【請求項７】
前記所定の逆電圧値は、前記バイパスダイオードに最大電流値の電流が流れたときにおける前記太陽電池の電圧降下値との間に、動作閾値に対する誤動作防止余裕である差分を有する、請求項６記載の故障検知装置。
【請求項８】
前記最大電流値は、太陽定数の日射量の太陽光が前記太陽電池の全面に照射された場合の前記太陽電池の短絡電流値であること、を特徴とする請求項６又は７記載の故障検知装置。
【請求項９】
前記複数の太陽電池モジュールの少なくとも１つについて、前記バイパスダイオードのオープンモード故障を前記検知手段で検知したとき、故障信号を含む信号を発信する信号発信装置と、
前記信号発信装置から前記信号を受信する信号受信装置と、
前記信号受信装置による前記信号の受信に応じて、前記バイパスダイオードのオープンモード故障に関する情報を表示する表示装置と、を備えたこと、を特徴とする請求項６〜８の何れか一項記載の故障検知装置。
【請求項１０】
前記信号発信装置は、前記バイパスダイオードがオープンモード故障した前記太陽電池モジュールを識別するための固有値信号をさらに含む前記信号を発信し、
前記表示装置は、前記信号受信装置で前記信号を受信したとき、当該信号の前記固有値信号に対応する前記太陽電池モジュールを特定する特定情報を含む前記情報を表示すること、を特徴とする請求項９記載の故障検知装置。
【請求項１１】
太陽光を利用して発電を行う太陽電池に対し並列接続されたバイパスダイオードのオープンモード故障を検知する検知工程を備え、
前記検知工程では、前記太陽電池で発電が行われている際、前記バイパスダイオードのカソード側が接続された前記太陽電池の正極側と前記バイパスダイオードのアノード側が接続された前記太陽電池の負極側との間に所定の逆電圧値が印加されたときに、当該バイパスダイオードのオープンモード故障を検知し、
前記所定の逆電圧値は、前記バイパスダイオードに最大電流値の電流が流れたときにおける前記太陽電池の電圧降下値よりも大きい電圧降下値であること、を特徴とする故障検知方法。
【請求項１２】
前記所定の逆電圧値は、前記バイパスダイオードに最大電流値の電流が流れたときにおける前記太陽電池の電圧降下値との間に、動作閾値に対する誤動作防止余裕である差分を有する、請求項１１記載の故障検知方法。
【請求項１３】
前記最大電流値は、太陽定数の日射量の太陽光が前記太陽電池の全面に照射された場合の前記太陽電池の短絡電流値であること、を特徴とする請求項１１又は１２記載の故障検知方法。
【請求項１４】
前記バイパスダイオードのオープンモード故障を前記検知工程により検知したとき、故障信号を含む信号を発信する信号発信工程と、
前記信号発信工程により発信された前記信号を受信する信号受信工程と、
前記信号受信工程による前記信号の受信に応じて、前記バイパスダイオードのオープンモード故障に関する情報を表示する表示工程と、を備えたこと、を特徴とする請求項１１〜１３の何れか一項記載の故障検知方法。
【請求項１５】
前記信号発信工程では、オープンモード故障した前記バイパスダイオードを含む太陽電池モジュールを識別するための固有値信号をさらに含む前記信号を発信すること、を特徴とする請求項１４記載の故障検知方法。
【発明の詳細な説明】
【技術分野】
【０００１】
本発明は、故障検知装置及び故障検知方法に関する。
【背景技術】
【０００２】
一般的に、太陽光を利用して発電を行う太陽電池モジュールにおいては、例えば特性のバラツキや日射強度の変動等の影響によって太陽電池に逆電圧が印加されることがあり、この逆電圧が高まると、太陽電池が発熱ひいては破損する虞がある。そのため、従来の太陽電池モジュールとしては、バイパスダイオードを太陽電池に並列に接続し、太陽電池に過剰な逆電圧が印加されるのを抑制するものが知られている。
【０００３】
このような太陽電池モジュールにおいては、例えば下記特許文献１に記載されているように、バイパスダイオードのオープンモード(開放モードとも称される)故障を検出する故障検知装置が開発されている。特許文献１に記載された検査装置では、太陽電池を遮蔽板により遮光すると共に、この遮蔽板に一体化された感熱紙により太陽電池における遮光部分の温度を検出する。そして、太陽電池の遮蔽部分にホットスポット熱（異常発熱）の発生を検出した場合、バイパスダイオードに電流が流れていないと判断し、これにより、バイパスダイオードがオープンモード故障していると判定する。
【先行技術文献】
【特許文献】
【０００４】
【特許文献１】特開２００１−０２４２０４号公報
【発明の概要】
【発明が解決しようとする課題】
【０００５】
ここで、上述したような故障検知装置では、次の理由により、バイパスダイオードが故障しているか否かの判定が困難となる虞がある。すなわち、バイパスダイオードがオープンモード故障をしていない場合であっても、太陽電池を遮光した際に太陽電池にある程度の逆電圧が印加され、太陽電池の発熱が検出される場合がある。当該発熱の程度は、そのときの日射強度、遮光状態、太陽電池の電流密度、太陽電池の放熱状態、太陽電池のシャント抵抗成分等に依存するため、一概に予測できない。従って、正常範囲の発熱と、バイパスダイオードの故障に起因する発熱とを区別することが極めて困難となり、バイパスダイオードのオープンモード故障を精度よく検出できない虞がある。
【０００６】
本発明は、上記実情に鑑みてなされたものであり、バイパスダイオードのオープンモード故障を精度よく検出できる故障検知装置及び故障検知方法を提供することを課題とする。
【課題を解決するための手段】
【０００７】
上記課題を解決するため、本発明らは鋭意検討を重ねた結果、バイパスダイオードがオープンモード故障したときにおいては、バイパスダイオードに最大電流値の電流が流れたときにおける太陽電池の電圧降下値よりも大きい電圧降下値が太陽電池に印加されるという知見を得た。そこで、かかる知見に基づけば、バイパスダイオードのオープンモード故障を精度よく検出できることを見出し、本発明を完成するに至った。
【０００８】
すなわち、本発明に係る故障検知装置は、太陽光を利用して発電を行う太陽電池と、太陽電池に並列接続されたバイパスダイオードと、を具備する太陽電池モジュールにおいて故障を検知する故障検知装置であって、バイパスダイオードのオープンモード故障を検知する検知手段を備え、検知手段は、太陽電池に所定の逆電圧値が印加されたときにバイパスダイオードのオープンモード故障を検知し、所定の逆電圧値は、バイパスダイオードに最大電流値の電流が流れたときにおける太陽電池の電圧降下値よりも大きい電圧降下値であること、を特徴とする。
【０００９】
この故障検知装置では、バイパスダイオードのオープンモード故障に上記知見を好適に適用することができ、よって、当該オープンモード故障を精度よく検出することが可能となる。なお、「太陽電池に逆電圧が印加される」とは、太陽電池の負極に対する正極の電位が低い状態になることを意味している（以下、同じ）。
【００１０】
このとき、最大電流値は、太陽定数の日射量の太陽光が太陽電池の全面に照射された場合の太陽電池の短絡電流値であることが好ましい。この場合、バイパスダイオードのオープンモード故障を一層精度よく検知することができる。これは、バイパスダイオードに流れる上記最大電流値は、太陽定数の日射量の太陽光が太陽電池の全面に照射された場合の太陽電池の短絡電流値であるという知見をさらに見出したことによる。
【００１１】
また、バイパスダイオードのオープンモード故障を検知手段で検知したとき、故障信号を含む信号を発信する信号発信装置と、信号発信装置から信号を受信する信号受信装置と、信号受信装置による信号の受信に応じて、バイパスダイオードのオープンモード故障に関する情報を表示する表示装置と、を備えたことが好ましい。この場合、オープンモード故障を表示装置により表示させて報知することが可能となる。
【００１２】
また、信号発信装置は、バイパスダイオードがオープンモード故障した太陽電池モジュールを識別するための固有値信号をさらに含む信号を発信することが好ましい。この場合、例えば、信号発信装置から発信される信号の固有値信号に基づいて、オープンモード故障した太陽電池モジュールを識別することが可能となる。
【００１３】
また、本発明に係る故障検知装置は、太陽光を利用して発電を行う太陽電池と、太陽電池に並列接続されたバイパスダイオードと、を具備する太陽電池モジュールが複数直列接続されてなる太陽電池ストリングを、少なくとも１つ備えた太陽光発電システムにおいて故障を検知する故障検知装置であって、バイパスダイオードのオープンモード故障を検知する検知手段を備え、検知手段は、太陽電池に所定の逆電圧値が印加されたときにバイパスダイオードのオープンモード故障を検知し、所定の逆電圧値は、バイパスダイオードに最大電流値の電流が流れたときにおける太陽電池の電圧降下値よりも大きい電圧降下値であること、を特徴とする。
【００１４】
この故障検知装置においても、バイパスダイオードのオープンモード故障に上記知見を好適に適用し、当該オープンモード故障を精度よく検出することが可能となる。
【００１５】
このとき、最大電流値は、太陽定数の日射量の太陽光が太陽電池の全面に照射された場合の太陽電池の短絡電流値であることが好ましい。この場合、上述したように、バイパスダイオードのオープンモード故障を一層精度よく検知することができる。
【００１６】
また、バイパスダイオードのオープンモード故障を検知手段で検知したとき、故障信号を含む信号を発信する信号発信装置と、信号発信装置から信号を受信する信号受信装置と、信号受信装置による信号の受信に応じて、バイパスダイオードのオープンモード故障に関する情報を表示する表示装置と、を備えたことが好ましい。この場合、オープンモード故障を表示装置により表示させて報知することが可能となる。
【００１７】
また、信号発信装置は、バイパスダイオードがオープンモード故障した太陽電池モジュールを識別するための固有値信号をさらに含む信号を発信し、表示装置は、信号受信装置で信号を受信したとき、当該信号の固有値信号に対応する太陽電池モジュールを特定する特定情報を含む情報を表示することが好ましい。この場合、表示装置で表示された特定情報により、バイパスダイオードがオープンモード故障した太陽電池モジュールを特定することが可能となる。
【００１８】
また、本発明に係る故障検知方法は、太陽光を利用して発電を行う太陽電池に対し並列接続されたバイパスダイオードのオープンモード故障を検知する検知工程を備え、検知工程では、太陽電池に所定の逆電圧値が印加されたときにバイパスダイオードのオープンモード故障を検知し、所定の逆電圧値は、バイパスダイオードに最大電流値の電流が流れたときにおける太陽電池の電圧降下値よりも大きい電圧降下値であること、を特徴とする。
【００１９】
この故障検知方法においても、バイパスダイオードのオープンモード故障に上記知見を好適に適用し、当該オープンモード故障を精度よく検出することが可能となる。
【００２０】
このとき、最大電流値は、太陽定数の日射量の太陽光が太陽電池の全面に照射された場合の太陽電池の短絡電流値であることが好ましい。この場合、上述したように、バイパスダイオードのオープンモード故障を一層精度よく検知することができる。
【００２１】
また、バイパスダイオードのオープンモード故障を検知工程により検知したとき、故障信号を含む信号を発信する信号発信工程と、信号発信工程により発信された信号を受信する信号受信工程と、信号受信工程による信号の受信に応じて、バイパスダイオードのオープンモード故障に関する情報を表示する表示工程と、を備えたことが好ましい。この場合、表示工程においてオープンモード故障を表示し報知することが可能となる。
【００２２】
また、信号発信工程では、オープンモード故障したバイパスダイオードを含む太陽電池モジュールを識別するための固有値信号をさらに含む信号を発信することが好ましい。この場合、例えば、発信される信号の固有値信号に基づいて、オープンモード故障した太陽電池モジュールを識別することが可能となる。
【００２３】
なお、上記検知手段、上記信号発信装置、上記信号受信装置及び上記表示装置のそれぞれは、太陽電池モジュールと機械的に一体であってもよいし別体であってもよい。
【発明の効果】
【００２４】
本発明によれば、バイパスダイオードのオープンモード故障を精度よく検出することが可能となる。
【図面の簡単な説明】
【００２５】
【図１】第１実施形態に係る故障検知装置を含む太陽光発電システムを示す構成図である。
【図２】図１の太陽光発電システムの太陽電池モジュールを示す構成図である。
【図３】図１の太陽光発電システムの太陽電池ユニットにおけるＩＶカーブ特性を示すグラフである。
【図４】バイパスダイオードを説明するための図である。
【図５】第２実施形態に係る故障検知装置を含む太陽光発電システムを示す構成図である。
【図６】第３実施形態に係る故障検知装置を含む太陽光発電システムの太陽電池モジュールを示す構成図である。
【図７】第４実施形態に係る故障検知装置を含む太陽光発電システムの太陽電池モジュールを示す構成図である。
【図８】第５実施形態に係る故障検知装置を含む太陽光発電システムの太陽電池モジュールを示す構成図である。
【図９】第６実施形態に係る故障検知装置を含む太陽光発電システムの太陽電池モジュールを示す構成図である。
【発明を実施するための形態】
【００２６】
以下、図面を参照しながら、本発明の好適な実施形態について詳細に説明する。なお、以下の説明では、同一又は相当要素には同一符号を付し、重複する説明は省略する。
【００２７】
［第１実施形態］
本発明の第１実施形態について説明する。図１は第１実施形態に係る故障検知装置を含む太陽光発電システムを示す構成図であり、図２は図１の太陽光発電システムにおける太陽電池モジュールの構成図である。図１に示すように、本実施形態の故障検知装置９０は、太陽電池モジュール１００において故障を検知するためのものであり、検知手段としてのＬＥＤ（Light Emitting Diode）４０及び受光素子６０と、信号発信装置としての発信機７０と、信号受信装置としての受信部１５１と、遮断手段としてのスイッチ１４０及びスイッチ制御部１５２と、を少なくとも備えている。以下、故障検知装置９０を太陽電池モジュール１００とともに説明する。
【００２８】
太陽光発電システム１は、太陽光エネルギを利用して発電を行う発電システムであり、例えば屋根等の高所に設置され、２００Ｖ以上の出力電圧を有する系統連携型のものとされている。太陽光発電システム１は、太陽電池アレイ１１０と、パワーコンディショナ１２０と、を具備している。
【００２９】
太陽電池アレイ１１０は、太陽光エネルギを電気エネルギへ変換し、直流出力としてパワーコンディショナ１２０へ供給する。太陽電池アレイ１１０は、太陽電池モジュール１００が複数直列接続されてなる太陽電池ストリング１３０を、少なくとも１つ備えている。ここでは、８つの太陽電池モジュール１００が互いに直列接続されて太陽電池ストリング１３０が構成され、２つの太陽電池ストリング１３０が互いに並列接続されて太陽電池アレイ１１０が構成されている。この太陽電池アレイ１１０は、パワーコンディショナ１２０に対し、スイッチ１４０を介して接続されている。
【００３０】
パワーコンディショナ１２０は、太陽電池アレイ１１０から供給された直流出力を交流出力に変換し、この交流出力を後段の電力系統（例えば商用電力系統）へ供給する。このパワーコンディショナ１２０は、太陽電池アレイ１１０の最大出力が得られるよう太陽電池アレイ１１０の動作電圧を制御する動作電圧制御機能と、電力系統の異常が検知された場合に安全にシステム停止する等の系統保護機能と、を有している。なお、パワーコンディショナ１２０は、絶縁トランスを有するトランス絶縁型であってもよいし、トランスレス（非絶縁）型であってもよい。
【００３１】
スイッチ１４０は、太陽電池アレイ１１０とパワーコンディショナ１２０との電気的接続を制御する開閉器である。スイッチ１４０としては、電流を遮断するものであれば如何なる構成のものも用いることができ、例えば、ＦＥＴ（Field Effect Transistor）やＩＧＢＴ（Insulated GateBipolar Transistor）等の半導体スイッチ、機械式リレー等の電磁開閉器を用いることができる。このスイッチ１４０は、通常時には閉状態とされ、太陽電池アレイ１１０及びパワーコンディショナ１２０を互いに接続させる一方、バイパスダイオード３０のオープン故障時には開状態とされ、これらを互いに解列させる（詳しくは後述）。
【００３２】
太陽電池モジュール１００は、パネル状に構成されており、図２に示すように、互いに直列接続された複数（ここでは、３つ）の太陽電池ユニット１０を備えている。複数の太陽電池ユニット１０のそれぞれは、太陽電池クラスタ（太陽電池）２０と、バイパスダイオード３０と、ＬＥＤ４０と、を含んで構成されている。
【００３３】
太陽電池クラスタ２０は、互いに直列接続された複数の太陽電池セル２１を含んでおり、太陽光を利用して発電を行うものである。複数の太陽電池セル２１は、マトリクス状に並置された状態でアルミフレームに固定されていると共に、その受光面側が強化ガラスで覆われている。太陽電池セル２１としては、例えば０．５Ｖの出力電圧の結晶系太陽電池セルが用いられている。
【００３４】
バイパスダイオード３０は、太陽電池クラスタ２０に並列接続されている。バイパスダイオード３０としては、順方向電圧を小さくし且つ逆回復時間を短縮化するために、例えばショットキーバリアダイオードが用いられている。このバイパスダイオード３０は、太陽電池クラスタ２０に逆電圧が印加されたときに電流が流れるよう設けられており、その順方向が太陽電池クラスタ２０内における太陽電池セル２１の等価寄生ダイオードの順方向に対し逆方向とされている。
【００３５】
具体的には、バイパスダイオード３０のカソード側は、太陽電池クラスタ２０を直列接続する電路５０上において、太陽電池クラスタ２０の正極側に接続されている。また、バイパスダイオード３０のアノード側は、電路５０上において太陽電池クラスタ２０の負極側に接続されている。
【００３６】
ＬＥＤ４０は、太陽電池クラスタ２０及びバイパスダイオード３０に並列接続された発光素子であり、バイパスダイオード３０のオープンモード故障を検知する検知手段を構成する。ＬＥＤ４０は、その順方向が太陽電池クラスタ２０における太陽電池セル２１の等価寄生ダイオードの順方向に対し逆方向とされ、太陽電池クラスタ２０に所定の逆電圧値が印加されたときに発光するように設けられている。この所定の逆電圧値にあっては、バイパスダイオード３０がオープンモード故障したときにＬＥＤ４０を発光させるべく、例えば以下に詳説するようにＬＥＤ４０のＩＶカーブ（電流電圧曲線）特性を設けることで設定されている。
【００３７】
図３（ａ）は太陽電池ユニットにおける各要素のＩＶカーブ特性を個別に示すグラフであり、図３（ｂ）は太陽電池ユニットにおける各要素のＩＶカーブ特性を合成して示すグラフである。図３（ａ），（ｂ）に示すように、バイパスダイオード３０が正常に機能している場合（バイパスダイオード３０に電流が流れる場合）、太陽電池ユニット１０における電圧値は正常電圧範囲Ｈ内の値となり、その下限はバイパスダイオード３０に最大電流値の電流が流れたときの電圧降下値Ｖｂとなる。換言すると、バイパスダイオード３０に最大電流値が流れたときに、最も大きな電圧降下が太陽電池ユニット１０に発生する。一方、この電圧降下値Ｖｂよりも大きな電圧降下が生じたときには、バイパスダイオード３０がオープンモード故障（通電しない状態で故障）し、バイパスダイオード３０に電流が流れないと判断することができる。
【００３８】
ここで、最大電流値は、考えられる最大の日射強度に太陽電池クラスタ２０が晒された場合の短絡電流値であり、大気による吸収や散乱を受ける前の日射強度である太陽定数に対応する短絡電流値とみなすことができる。具体的には、通常、太陽電池クラスタ２０の短絡電流の定格値は標準状態である日射強度の短絡電流値であることから、最大電流値は、太陽定数の日射量の太陽光が太陽電池クラスタ２０の全面に照射された場合の太陽電池の短絡電流値とすることができ、下式（１）の値を最大電流値として用いることができる。なお、「全面」とは、製造上及び設計上の誤差を許容するものであり、略全面や実質的に全面を含んでいる。
定格短絡電流値×太陽定数／標準状態での日射強度（＝１ｋＷ／ｍ２）  …（１）
【００３９】
そこで、本実施形態では、電圧降下値Ｖｂを基準とし、これよりも大きな電圧降下値を所定の逆電圧値とし、当該所定の逆電圧値が太陽電池クラスタ２０に印加されたときに電流が流れて発光するＩＶカーブ特性のＬＥＤ４０を採用している。換言すると、ＬＥＤ４０は、バイパスダイオード３０のＩＶカーブ特性よりも大きな電圧降下値のときに順方向電流が流れるＩＶカーブ特性を有するダイオードにより構成されている。
【００４０】
なお、ダイオードの環境温度等によって僅かに電圧降下値が変化する可能性があることから、誤作動を回避するために、電圧降下値Ｖｂと上記所定の逆電圧値との間には、差分ΔＶを設けることが好ましい。差分ΔＶは１Ｖ未満の動作閾値に対する誤動作防止余裕であることから、その程度の小さな値を差分ΔＶとして採用することができる。この差分ΔＶにより、システムの信頼性を一層回避することができる。
【００４１】
このＬＥＤ４０のカソード側は、電路５０上において太陽電池クラスタ２０の正極側とバイパスダイオード３０との接続箇所Ｏ１に接続されている。ＬＥＤ４０のアノード側は、電路５０上において太陽電池クラスタ２０の負極側とバイパスダイオード３０との接続箇所Ｏ２に接続されている。
【００４２】
また、太陽電池モジュール１００は、受光素子６０及び発信機７０を備えている。受光素子６０は、少なくとも１つのＬＥＤ４０で発光したＬＥＤ光を受光するものであり、バイパスダイオード３０のオープンモード故障を検知する検知手段を構成する。受光素子６０は、各ＬＥＤ４０からのＬＥＤ光を好適に受光できるように配置（光結合）されており、ここでは、各ＬＥＤ４０に対し近接配置されている。発信機７０は、受光素子６０によるＬＥＤ光の受光に応じて（ＬＥＤ光を受光したとき）、バイパスダイオード３０のオープンモード故障に係る故障信号を含む信号を、後述の受信部１５１へ発信する。
【００４３】
図１に戻り、本実施形態は、太陽電池アレイ１１０における電流の流通を制御するためのコントローラ１５０を備えている。コントローラ１５０は、受信部１５１及びスイッチ制御部１５２を含んで構成されている。
【００４４】
受信部１５１は、太陽電池モジュール１００の発信機７０（図２参照）で発信された信号を受信するものである。スイッチ制御部１５２は、受信部１５１による信号の受信に応じて太陽電池アレイ１１０の電流（電荷の流れ）を遮断するものである。具体的には、スイッチ制御部１５２は、発信機７０からの信号を受信部１５１で受信したとき、スイッチ１４０を制御して開状態とし、太陽電池アレイ１１０をパワーコンディショナ１２０から解列させ、太陽電池アレイ１１０の電流を遮断させる。
【００４５】
図４（ａ）はバイパスダイオードを説明するための構成図、図４（ｂ）は、バイパスダイオードを説明するための太陽電池クラスタのＩＶカーブ特性を示すグラフである。図４（ｂ）中において、Ｌ３が高日射太陽電池セル２１ａのＩＶカーブ特性、Ｌ４が低日射太陽電池セル２１ｂのＩＶカーブ特性を示している。太陽電池ユニット１０では、複数の太陽電池セル２１が太陽電池クラスタ２０として直列接続されていることらから、これら太陽電池セル２１間の特性バラツキや日射強度の相違等によって、一部の太陽電池セル２１に逆電圧が生じる場合がある。
【００４６】
図４（ａ）に例示するように、日射量が良好な高日射太陽電池セル２１ａと、日射量が低下した低日射太陽電池セル２１ｂとが短絡された場合、合計電圧は０であることから、図４（ｂ）に示すように、それぞれの印加電圧は動作点Ｐ１，Ｐ２となる。よって、高日射太陽電池セル２１ａでは発電が行われているものの、低日射太陽電池セル２１ｂでは、当該発電と同じ電力を消費しており、逆電圧が印加されることがわかる。
【００４７】
そこで、下式（２）に示すように、バイパスダイオード３０を太陽電池クラスタ２０に並列に接続し、太陽電池クラスタ２０の電圧損失Ｖｌｏｓｓを抑制することで、低日射太陽電池セル２１ｂの電圧損失Ｖｃｅｌｌが電圧ゲインＶｇを大きく超えるのを回避することができる。
Ｖｃｅｌｌ＝Ｖｌｏｓｓ＋Ｖｇ  …（２）
Ｖｃｅｌｌ：低日射太陽電池セル２１ｂの電圧損失
Ｖｌｏｓｓ：太陽電池クラスタ２０の電圧損失
Ｖｇ      ：太陽電池クラスタ２０の高日射太陽電池セル２１ａの電圧ゲインの合計
【００４８】
その結果、太陽電池ユニット１０（太陽電池モジュール１００、太陽電池ストリング１３０、太陽電池アレイ１１０、及び太陽光発電システム１）では、バイパスダイオード３０の働きによって、太陽電池セル２１ｂにかかる逆電圧が当該太陽電池クラスタ２０を構成する他の太陽電池セル２１ａで発生する合計電圧を超えることを抑制でき、高い安全性を確保することができる。さらには、バイパスダイオード３０が設けられていると、太陽電池クラスタ２０に低日射太陽電池セル２１ｂが存在している場合でも、この太陽電池クラスタ２０以外の他の太陽電池クラスタ２０からの大きな電流を通過させることができるため、当該他の太陽電池クラスタ２０の発電量を維持できる。よって、システム全体として発電量低下を軽減することも可能となる。
【００４９】
ここで、何らかの理由でバイパスダイオード３０がオープンモード故障したとき、上述したように特定の太陽電池セル２１に大きな逆電圧が印加され、発熱やモジュール破損の虞があるため、太陽電池ユニット１０又は太陽電池モジュール１００を電流が流れないように遮断することが好ましい。一方で、バイパスダイオード３０の正常時には、発電能力を確保するために、太陽電池ユニット１０又は太陽電池モジュール１００の誤遮断を防止し、バイパスダイオード３０を確実に機能させることが好ましい。
【００５０】
この点、本実施形態の太陽電池ユニット１０では、図３（ｂ）に示すように、バイパスダイオード３０が正常な正常時において、太陽電池クラスタ２０に逆電圧が印加されたとしても、バイパスダイオード３０が支配的で正常電圧範囲Ｈを有するＩＶカーブ特性Ｌ１のために、バイパスダイオード３０が機能しＬＥＤ４０には電流が実質的に流れない。よって、ＬＥＤ４０が発光せず、スイッチ１４０は閉状態のままとなり、太陽電池アレイ１１０は遮断されない。
【００５１】
他方、バイパスダイオード３０のオープンモード故障時においては、当該オープンモード故障を故障検知装置９０によって検知することができる。すなわち、太陽電池ユニット１０のＩＶカーブはＬＥＤ４０が支配的なＩＶカーブ特性Ｌ２へ遷移することから、複数の太陽電池モジュール１００の何れかにおいて、太陽電池クラスタ２０に所定の逆電圧（電圧降下値Ｖｂよりも大きな電圧降下値）が印加されると、ＬＥＤ４０に電流が流れて当該ＬＥＤ４０からＬＥＤ光が出射され、ＬＥＤ４０からのＬＥＤ光が受光素子６０で受光され、これにより、バイパスダイオード３０のオープンモード故障が検知される（検知工程）。
【００５２】
また故障検知装置９０では、ＬＥＤ光が受光素子６０で受光されたとき、発信機７０から受信部１５１へ信号が発信され（信号発信工程）、この信号が受信部１５１で受信される（信号受信工程）。そして、当該信号が受信部１５１で受信されたとき、スイッチ制御部１５２によって開状態となるようにスイッチ１４０が制御され、太陽電池アレイ１１０がパワーコンディショナ１２０（電路５０）から切り離され、その結果、太陽電池アレイ１１０の電流が安全に遮断される（遮断工程）。
【００５３】
以上、本実施形態では、太陽電池クラスタ２０に所定の逆電圧値が印加されたときにバイパスダイオード３０のオープンモード故障を検知しており、所定の逆電圧値は、バイパスダイオード３０に最大電流値の電流が流れたときにおける太陽電池クラスタ２０の電圧降下値よりも大きい電圧降下値とされている。これにより、太陽電池ユニット１０の上記特性を利用し、バイパスダイオード３０のオープンモード故障を精度よく検知できる。さらに、最大電流値は、太陽定数の日射量の太陽光が太陽電池クラスタ２０の全面に照射された場合の太陽電池クラスタ２０の短絡電流値であることから、バイパスダイオード３０のオープンモード故障を一層精度よく検知できる。
【００５４】
なお、本実施形態では、検知手段としてＬＥＤ４０及び受講素子６０を用いているが、これに代えて、太陽電池クラスタ２０に所定の逆電圧値が印加されているか否かを直接検出する検出器（例えば、太陽電池クラスタ２０の電位差を検出するもの）を用いてもよい。この場合、太陽電池クラスタ２０に所定の逆電圧値が印加されていると検出器で検出されたとき、発信機７０から信号が発信される。
【００５５】
また、本実施形態によれば、上述したように、正常時において、太陽電池クラスタ２０ひいては太陽電池セル２１に高い逆電圧が印加されるのを回避することができると共に、一の太陽電池セル２１に影が射す等しても、すぐさま太陽電池ユニット１０の電流を遮断しないだけでなく、他の太陽電池クラスタ２０の発電を有効活用することが可能であり、発電能力の低下を抑制することができる。
【００５６】
加えて、バイパスダイオード３０のオープンモード故障をＬＥＤ４０及び受光素子６０により検知し、スイッチ制御部１５２によりスイッチ１４０を制御して太陽電池アレイ１１０の電流を遮断できる。これにより、太陽電池アレイ１１０の電流を確実に安価で且つ容易に遮断し、太陽電池アレイ１１０の発熱や破損を防止することが可能となる。すなわち、特段の作業を別途必要とすることなく、バイパスダイオード３０のオープンモード故障に対する対策が自動的に実施され、かかるオープンモード故障以上の損傷が抑止される。その結果、必要なときに太陽電池クラスタ２０の電流が遮断されないのを回避できると共に、不要なときに太陽電池クラスタ２０の電流が遮断されてしまうのを回避できる、発電能力を確保しつつ信頼性を容易に向上させることが可能となる。
【００５７】
また、本実施形態では、コントローラ１５０を別体で独立して構成しているが、このコントローラ１５０はパワーコンディショナ１２０に内蔵していてもよい。ちなみに、ＬＥＤ４０が配置され且つ太陽電池クラスタ２０及びバイパスダイオード３０に並列な電路５１上には、所定の抵抗値を有する抵抗をさらに設けてもよい。この場合、バイパスダイオード３０が正常な正常時に、ＬＥＤ４０に微弱電流が流れてＬＥＤ４０が発光してしまうことを確実に防止できる。
【００５８】
ちなみに、本実施形態の故障検知装置９０（故障検知方法）は、太陽電池モジュール１００の内部において故障を検知する構成としたが、これに限定されるものではない。要は、故障検知装置９０（故障検知方法）は、太陽光発電システム１、太陽電池アレイ１１０、太陽電池ストリング１３０、太陽電池モジュール１００の何れかの内部において故障を検知する構成であればよい。
【００５９】
また、本実施形態の故障検知装置９０は、発信機７０、受信部１５１、並びに、スイッチ１４０及びスイッチ制御部１５２の少なくとも１つを備えない場合がある。同様に、本実施形態の故障検知方法は、信号発信工程、信号受信工程、並びに遮断工程の少なくとも１つを備えない場合がある。
【００６０】
また、本実施形態では、遮断手段としてのスイッチ１４０及びスイッチ制御部１５２を太陽電池モジュール１００と別体に（つまり、太陽電池モジュール１００の外部に）設けたが、遮断手段の一部又は全部は、太陽電池モジュール１００に搭載されていてもよい（つまり、太陽電池モジュール１００の内部に設けられていてもよい）。
【００６１】
［第２実施形態］
次に、本発明の第２実施形態について説明する。なお、本実施形態の説明では、上記第１実施形態と異なる点について主に説明する。
【００６２】
図５は、第２実施形態に係る故障検知装置を含む太陽光発電システムを示す構成図である。本実施形態が上記第１実施形態と主として異なる点は、上記第１実施形態が太陽電池アレイ１１０単位で電流を遮断するのに対し、太陽電池ストリング１３０単位で電流を遮断する点である。
【００６３】
具体的には、本実施形態においては、複数の太陽電池モジュール１００のそれぞれにおける発信機７０が発信する信号に、複数の太陽電池モジュール１００毎に異なった固有値信号（例えば、モジュール番号に関する信号等）がさらに含まれている。つまり、各発信機７０は、バイパスダイオード３０がオープンモード故障した太陽電池モジュール１００を識別するための固有値信号をさらに含む信号を発信する。
【００６４】
また、図５に示すように、本実施形態では、太陽光発電システム２において太陽電池ストリング１３０のそれぞれが、スイッチ１４０を介してパワーコンディショナ１２０に接続されている。また、スイッチ制御部１５２は、発信機７０からの信号を受信部１５１で受信したとき、受信した信号から固有値信号を読み取り、この信号の固有値信号に対応する太陽電池モジュール１００が属する太陽電池ストリング１３０を特定する。そして、スイッチ制御部１５２は、特定した太陽電池ストリング１３０に設けられたスイッチ１４０を制御して開状態とさせ、この特定した太陽電池ストリング１３０をパワーコンディショナ１２０から解列させ、これにより、当該太陽電池ストリング１３０の電流を遮断する。
【００６５】
また、本実施形態の故障検知装置９０は、記憶部２５３と入力部２５４と表示部（表示装置）２５５とをコントローラ２５０内にさらに備えている。記憶部２５３は、読み取った固有値信号を記憶する。入力部２５４は、ユーザによる操作入力を検知し、検知した操作入力に応じて表示部２５５に情報を表示させる。表示部２５５は、入力部２５４による操作入力に応じて情報を表示する。
【００６６】
本実施形態の故障検知装置９０では、例えば、バイパスダイオード３０のオープンモード故障時において、バイパスダイオード３０のオープンモード故障が検知されたとき、固有値信号をさらに含む信号が発信機７０から発信される（信号発信工程）。続いて、この信号が受信部１５１で受信されたとき、当該信号に含まれる固有値信号が読み取られ、オープン故障したバイパスダイオード３０を含む太陽電池モジュール１００のモジュール番号が特定される。
【００６７】
続いて、このモジュール番号の太陽電池モジュール１００が属する太陽電池ストリング１３０のみがパワーコンディショナ１２０から切り離されるようにスイッチ１４０がスイッチ制御部１５２により制御される（遮断工程）。その結果、当該太陽電池ストリング１３０の電流が安全に遮断される。これと共に、バイパスダイオード３０にオープンモード故障が発生した旨（オープンモード故障に関する情報）が表示部２５５に表示され、ユーザに対しオープンモード故障が報知されて注意喚起される（表示工程）。
【００６８】
これに併せ、特定されたモジュール番号は、記憶部２５３に記憶され格納される（記憶工程）。その結果、例えば、ユーザにより入力部２５４の入力ボタンが操作されると、記憶部２５３に記憶されたモジュール番号が特定情報として表示部２５５にさらに表示され、複数の太陽電池モジュール１００のうち何れの太陽電池モジュール１００のバイパスダイオード３０が故障したかが確認される（確認工程）。
【００６９】
以上、本実施形態においても、上記実施形態と同様な効果、すなわち、発電能力を確保しつつ信頼性を容易に向上する、及び、バイパスダイオード３０のオープンモード故障を精度よく検知するという効果が奏される。また、本実施形態では、上述したように、発信機７０から発信される信号に固有値信号が含まれているため、この固有値信号に基づいてオープンモード故障した太陽電池モジュールを識別することが可能となる。
【００７０】
さらに、本実施形態では、固有値信号に対応する太陽電池モジュール１００が属する太陽電池ストリング１３０の電流のみが遮断される。よって、オープンモード故障した太陽電池モジュール１００が属する特定の太陽電池ストリング１３０のみについて電流を遮断できる一方、特定の太陽電池ストリング１３０以外の太陽電池ストリング１３０によって発電を好適に継続することができる。
【００７１】
また、本実施形態では、受信部１５１による信号の受信に応じて、バイパスダイオード３０のオープンモード故障に関する情報を表示部２５５に表示させることができる。これにより、オープンモード故障を表示部２５５によってユーザに報知することが可能となる。
【００７２】
さらに、本実施形態では、固有値信号に対応する太陽電池モジュール１００を特定する特定情報を、表示部２５５に表示させることができる。よって、オープンモード故障した太陽電池モジュール１００を特定することが可能となる。
【００７３】
ちなみに、本実施形態の故障検知装置９０は、記憶部２５３及び入力部２５４の少なくとも１つを備えない場合がある。同様に、本実施形態の故障検知方法は、記憶工程及び確認工程の少なくとも１つを備えない場合がある。
【００７４】
［第３実施形態］
次に、本発明の第３実施形態について説明する。なお、本実施形態の説明では、上記第１実施形態と異なる点について主に説明する。
【００７５】
図６は、第３実施形態に係る故障検知装置を含む太陽光発電システムの太陽電池モジュールを示す構成図である。図６に示すように、本実施形態の故障検知装置３９０が上記故障検知装置９０と異なる点は、ＬＥＤ４０及び受光素子６０（図２参照）に代えて、コンパレータ３４０及び基準電源３６０を検知手段として太陽電池モジュール３００に備えた点である。
【００７６】
コンパレータ３４０は、正極側入力電圧と負極側入力電圧とを比較し、その結果を２値の出力電圧で出力する。このコンパレータ３４０は、各太陽電池ユニット１０のそれぞれにおいて太陽電池クラスタ２０と並列接続するように設けられている。具体的には、各コンパレータ３４０は、その正極側入力端子が太陽電池クラスタ２０の正極側とバイパスダイオード３０との接続箇所Ｏ１に接続されていると共に、その負極側入力端子が太陽電池クラスタ２０の負極側とバイパスダイオード３０との接続箇所Ｏ２に接続されている。また、各コンパレータ３４０は、その出力端子が発信機７０に接続されている。
【００７７】
基準電源３６０は、上記所定の逆電圧値（電圧降下値Ｖｂよりも大きな電圧降下値）に対応する基準電位差をコンパレータ３４０の負極側入力端子に印加する。基準電源３６０は、コンパレータ３４０の負極側入力端子と接続箇所Ｏ２との間の電路上に設けられている。この基準電源３６０により、コンパレータ３４０は、太陽電池クラスタ２０に所定の逆電圧値が印加されたときに出力電圧をＯＦＦ信号として発信機７０へ出力する。また、本実施形態の発信機７０は、コンパレータ３４０の何れかからＯＦＦ信号が入力されたとき、受信部１５１へ信号を発信する。
【００７８】
本実施形態の故障検知装置３９０では、バイパスダイオード３０のオープンモード故障時において、複数の太陽電池モジュール１００の何れかの太陽電池クラスタ２０に所定の逆電圧（電圧降下値Ｖｂよりも大きな電圧降下値）が印加されると、コンパレータ３４０によりＯＦＦ信号が発信機７０へ出力される（検知工程）。これにより、バイパスダイオード３０のオープンモード故障が検知される。そして、ＯＦＦ信号が発信機７０へ出力されたとき、発信機７０から受信部１５１へ信号が発信される（信号発信工程）。その結果、太陽電池アレイ１１０の電流が安全に遮断されることとなる。
【００７９】
以上、本実施形態においても、上記実施形態と同様な効果、すなわち、発電能力を確保しつつ信頼性を容易に向上する、及び、バイパスダイオード３０のオープンモード故障を精度よく検知するという効果が奏される。なお、本実施形態では、説明の便宜上、コンパレータ３４０に係るその他の一般的な電源や抵抗等を省略しているが、これら電源や抵抗等が設けられていても勿論よい。
【００８０】
［第４実施形態］
次に、本発明の第４実施形態について説明する。なお、本実施形態の説明では、上記第３実施形態と異なる点について主に説明する。
【００８１】
図７は、第４実施形態に係る故障検知装置を含む太陽光発電システムの太陽電池モジュールを示す構成図である。図７に示すように、本実施形態の故障検知装置４９０が上記故障検知装置３９０と異なる点は、検知手段として、コンパレータ４４０を太陽電池モジュール３００にさらに備えると共に、基準電源３６０（図６参照）に代えて基準電源４６０を太陽電池モジュール３００に備えている点である。
【００８２】
コンパレータ４４０は、正極側入力電圧と負極側入力電圧とを比較し、その結果を２値の出力電圧で出力する。このコンパレータ４４０は、各太陽電池ユニット１０のそれぞれのコンパレータ３４０と発信機７０との間の電路上に設けられている。具体的には、各コンパレータ３４０は、その正極側入力端子がコンパレータ３４０の出力端子に接続されていると共に、その負極側入力端子が大地（対地電位）Ｇに接続されている。また、各コンパレータ４４０は、その出力端子が発信機７０に接続されている。
【００８３】
基準電源４６０は、上記所定の逆電圧値（電圧降下値Ｖｂよりも大きな電圧降下値）に対応する基準電位差をコンパレータ４４０の負極側入力端子に印加する。基準電源４６０は、コンパレータ３４０の負極側入力端子と大地Ｇとの間の電路上に設けられている。この基準電源４６０により、コンパレータ４４０は、太陽電池クラスタ２０に所定の逆電圧値が印加されたとき、出力電圧をＯＦＦ信号として発信機７０へ出力する。また、本実施形態のコンパレータ３４０は、その入力側と出力側との間に絶縁能力を有する絶縁型のものとされている。
【００８４】
本実施形態の故障検知装置４９０では、バイパスダイオード３０のオープンモード故障時において、複数の太陽電池ユニット１０の何れかの太陽電池クラスタ２０に所定の逆電圧（電圧降下値Ｖｂよりも大きな電圧降下値）が印加されると、コンパレータ３４０から出力電圧がコンパレータ４４０へ出力され、当該コンパレータ４４０によりＯＦＦ信号が発信機７０へ出力される（検知工程）。これにより、バイパスダイオード３０のオープンモード故障が検知される。そして、ＯＦＦ信号が発信機７０へ出力されたとき、発信機７０から受信部１５１へ信号が発信される（信号発信工程）。その結果、太陽電池アレイ１１０の電流が安全に遮断されることとなる。
【００８５】
以上、本実施形態においても、上記実施形態と同様な効果、すなわち、発電能力を確保しつつ信頼性を容易に向上する、及び、バイパスダイオード３０のオープンモード故障を精度よく検知するという効果が奏される。また、本実施形態では、上述したように、１つの基準電源４６０を複数の太陽電池ユニット１０で兼用することができる。なお、本実施形態では、説明の便宜上、コンパレータ３４０，４４０に係るその他の一般的な電源や抵抗等を省略しているが、これら電源や抵抗等が設けられていても勿論よい。
【００８６】
［第５実施形態］
次に、本発明の第５実施形態について説明する。なお、本実施形態の説明では、上記第１実施形態と異なる点について主に説明する。
【００８７】
図８は、第５実施形態に係る故障検知装置を含む太陽光発電システムの太陽電池モジュールを示す構成図である。本実施形態が上記第１実施形態と主として異なる点は、上記第１実施形態が太陽電池アレイ１１０単位で電流を遮断するのに対し、太陽電池モジュール１００単位で電流を遮断する点である。
【００８８】
具体的には、図８に示すように、本実施形態の故障検知装置５９０は、ＬＥＤ４０、受光素子６０及び発信機７０（図２参照）に代えて、発熱用ダイオード５４０及び温度ヒューズ５６０を太陽電池モジュール５００に備えている。
【００８９】
発熱用ダイオード５４０は、太陽電池クラスタ２０及びバイパスダイオード３０に並列接続された反応素子（発熱素子）であり、検知手段を構成する。発熱用ダイオード５４０は、その順方向が太陽電池クラスタ２０における太陽電池セル２１の等価寄生ダイオードの順方向に対し逆方向とされている。この発熱用ダイオード５４０にあっては、上記ＬＥＤ４０と同様にして、太陽電池クラスタ２０に所定の逆電圧値（電圧降下値Ｖｂよりも大きな電圧降下値）が印加されたときに電流が流れて反応（発熱）するよう構成されている。
【００９０】
この発熱用ダイオード５４０のカソード側は、電路５０上において太陽電池クラスタ２０の正極側とバイパスダイオード３０の接続箇所Ｏ１との間に接続されている。発熱用ダイオード５４０のアノード側は、電路５０上において太陽電池クラスタ２０の負極側とバイパスダイオード３０の接続箇所Ｏ２との間に接続されている。発熱用ダイオード５４０としては、例えばＰＮダイオードが用いられている。
【００９１】
温度ヒューズ５６０は、複数の太陽電池クラスタ２０及び複数のバイパスダイオード３０に直列接続された遮断素子であり、検知手段及び遮断手段を構成する。この温度ヒューズ５６０には、複数の太陽電池ユニット１０の各発熱用ダイオード５４０が接触され、これら発熱用ダイオード５４０の熱が直接的に伝熱可能とされている。つまり、温度ヒューズ５６０及び発熱用ダイオード５４０は、互いに熱的に接触するように配置（熱結合）された素子複合体５１０を形成する。
【００９２】
この温度ヒューズ５６０は、複数の発熱用ダイオード５４０のうち少なくとも１つの発熱用ダイオード５４０の発熱に応じて、複数の太陽電池ユニット１０に対する接続を切断し、複数の太陽電池ユニット１０（太陽電池モジュール１００）の電流を遮断する。温度ヒューズ５６０は、電路５０上に１つのみ設けられており、一の太陽電池ユニット１０におけるバイパスダイオード３０の接続箇所Ｏ１に対し太陽電池クラスタ２０側と反対側に接続されている。
【００９３】
本実施形態の故障検知装置５９０では、少なくとも１つの太陽電池ユニット１０において、バイパスダイオード３０がオープンモード故障し、太陽電池クラスタ２０に所定の逆電圧（電圧降下値Ｖｂよりも大きな電圧降下値）が印加されると、発熱用ダイオード５４０に電流が流れて発熱用ダイオード５４０が発熱され、温度ヒューズ５６０が溶断され切断される（検知工程，遮断工程）。これにより、バイパスダイオード３０のオープンモード故障が検知されると共に、複数の太陽電池ユニット１０（太陽電池モジュール１００）の電流が遮断されることとなる。
【００９４】
以上、本実施形態においても、上記実施形態と同様な効果、すなわち、発電能力を確保しつつ信頼性を容易に向上する、及び、バイパスダイオード３０のオープンモード故障を精度よく検知するという効果が奏される。また、本実施形態では、バイパスダイオード３０がオープンモード故障したとき、そのバイパスダイオード３０を含む特定の太陽電池モジュール１００の電流のみが遮断される。よって、バイパスダイオード３０のオープンモード故障時に、当該特定の太陽電池モジュール１００以外の太陽電池モジュール１００によって発電を好適に継続することができる。
【００９５】
また、本実施形態では、遮断手段としての温度ヒューズ５６０を太陽電池モジュール１００に搭載したが（つまり、太陽電池モジュール１００の内部に設けたが）、遮断手段の一部又は全部は、太陽電池モジュール１００と別体に（つまり、太陽電池モジュール１００の外部に）設けられていてもよい。
【００９６】
［第６実施形態］
次に、本発明の第６実施形態について説明する。なお、本実施形態の説明では、上記第５実施形態と異なる点について主に説明する。
【００９７】
図９は、第６実施形態に係る故障検知装置を含む太陽光発電システムの太陽電池モジュールを示す構成図である。図９に示すように、本実施形態の故障検知装置６９０が上記故障検知装置５９０と異なる点は、発熱用ダイオード５４０（図８参照）に代えて、制御用ダイオード６４１及び抵抗６４２を検知手段として太陽電池モジュール６００に備えた点である。
【００９８】
制御用ダイオード６４１は、電流の流れを制御するものであり、太陽電池クラスタ２０及びバイパスダイオード３０に並列接続されている。この制御用ダイオード６４１は、その順方向が太陽電池クラスタ２０の順方向に対し逆方向とされている。この制御用ダイオード６４１にあっては、上記発熱用ダイオード５４０と同様にして、太陽電池クラスタ２０に所定の逆電圧値（電圧降下値Ｖｂよりも大きな電圧降下値）が印加されたときに電流を流すよう構成されている。
【００９９】
この制御用ダイオード６４１のカソード側は、電路５０上において太陽電池クラスタ２０の正極側とバイパスダイオード３０の接続箇所Ｏ１との間に接続されている。制御用ダイオード６４１のアノード側は、電路５０上において太陽電池クラスタ２０の負極側とバイパスダイオード３０の接続箇所Ｏ２との間に接続されている。
【０１００】
なお、バイパスダイオード３０として、上述したように、順方向電圧の小さなショットキーバリアダイオードが用いられていることが多く、この場合には、制御用ダイオード６４１としては、バイパスダイオード３０よりも順方向電圧の大きなＰＮジャンクションダイオードを用いることができる。また、バイパスダイオード３０としてＰＮジャンクションダイオードが用いられている場合には、制御用ダイオード６４１として、複数のＰＮジャンクションダイオードを直列接続して用いることができる。これらにより、容易且つ好適に制御用ダイオード６４１の上記機能を発揮させることができる。
【０１０１】
抵抗６４２は、制御用ダイオード６４１のそれぞれに直列接続するよう複数設けられており、電流が流れて発熱する反応素子（発熱素子）として機能する。この抵抗６４２は、温度ヒューズ５６０が接触され、その熱が温度ヒューズ５６０に直接的に伝熱可能とされている。つまり、温度ヒューズ５６０及び抵抗６４２は、互いに熱的に接触するように配置（熱結合）された素子複合体６１０を形成する。
【０１０２】
本実施形態の故障検知装置６９０では、少なくとも１つの太陽電池ユニット１０において、バイパスダイオード３０がオープンモード故障し、太陽電池クラスタ２０に所定の逆電圧（電圧降下値Ｖｂよりも大きな電圧降下値）が印加されると、制御用ダイオード６４１及び抵抗６４２に電流が流れて抵抗６４２が発熱され、温度ヒューズ５６０が溶断され切断される（検知工程，遮断工程）。これにより、バイパスダイオード３０のオープンモード故障が検知されると共に、複数の太陽電池ユニット１０の電流が遮断されることとなる。
【０１０３】
この本実施形態においても、上記実施形態と同様な効果、すなわち、発電能力を確保しつつ信頼性を容易に向上する、及び、バイパスダイオード３０のオープンモード故障を精度よく検知するという効果が奏される。
【０１０４】
以上、本発明の好適な実施形態について説明したが、本発明は上記実施形態に限られるものではなく、各請求項に記載した要旨を変更しない範囲で変形し、又は他のものに適用したものであってもよい。
【０１０５】
例えば、太陽電池クラスタ２０を構成する太陽電池セル２１の数は、限定されるものではなく、１つとしてもよいし複数としてもよい。同様に、太陽電池ユニット１０を構成する太陽電池クラスタ２０の数、太陽電池モジュール１００，３００，４００，５００，６００を構成する太陽電池ユニット１０の数、太陽電池ストリング１３０を構成する太陽電池モジュール１００，３００，４００，５００，６００の数、太陽電池アレイ１１０を構成する太陽電池ストリング１３０の数、及び、太陽光発電システム１，２を構成する太陽電池アレイ１１０の数についても、１つとしてもよいし複数としてもよい。
【０１０６】
上記実施形態では、検出手段として、ＬＥＤ４０、受光素子６０、コンパレータ３４０，４４０、発熱用ダイオード５４０、制御用ダイオード６４１及び抵抗６４２を用いたが、これに限定されるものではない。検出手段として、例えば電磁コイル、圧電素子、発熱コイル、及び抵抗器等のその他の素子を用いてもよく、要は、検知手段は、バイパスダイオード３０のオープンモード故障を検知可能なものであればよい。
【０１０７】
また、上記実施形態では、検知手段で検知したバイパスダイオード３０のオープンモード故障について、通信（発信機７０及び受信部１５１）又は熱（熱結合）を利用して遮断手段及び表示手段の少なくとも一方へ伝達しているが、光（光結合）を利用して遮断手段及び表示手段の少なくとも一方へ伝達してもよいし、機械的手段（機械的結合）を利用して遮断手段及び表示手段の少なくとも一方へ伝達してもよい。
【０１０８】
また、上記実施形態では、温度ヒューズ５６０に代えて、サーモスタットやサーミスタを利用した素子を用いてもよい。さらに、電磁コイルの磁力により電磁開閉器を開閉し電流を遮断してもよいし、例えば圧電素子の圧電効果を利用して開閉器を開閉し電流を遮断してもよい。
【０１０９】
また、本発明の遮断手段は、オープンモード故障したバイパスダイオード３０に係る太陽電池ユニット１０（太陽電池クラスタ２０）の電流を遮断するものであってもよい。また、本発明の信号発信装置は、少なくとも１つの太陽電池モジュール１００、太陽電位ストリング１３０又は太陽電池アレイ１１０においてバイパスダイオード３０のオープンモード故障を検知したとき、信号を発信するものであってもよい。
【０１１０】
なお、上記実施形態の故障検知方法は、太陽光発電システム１（太陽電池モジュール１００、太陽電池ユニット１０、太陽電池ストリング１３０、又は太陽電池アレイ１１０）の電流を遮断する電流遮断方法として捉えることもできる。
【符号の説明】
【０１１１】
１，２…太陽光発電システム、２０…太陽電池クラスタ（太陽電池）、３０…バイパスダイオード、４０…ＬＥＤ（検知手段）、６０…受光素子（検知手段）、７０…発信機（信号発信装置）、９０，３９０，４９０，４９０，５９０，６９０…故障検知装置、１００，３００，４００，５００，６００…太陽電池モジュール、１３０…太陽電池ストリング、１５１…受信部（信号受信装置）、２５５…表示部（表示装置）、３４０…コンパレータ（検知手段）、３６０…基準電源（検知手段）、４４０…コンパレータ（検知手段）、４６０…基準電源（検知手段）、５４０…発熱用ダイオード（検知手段）、５６０…温度ヒューズ（検知手段）、６４１…制御用ダイオード（検知手段）、６４２…抵抗（検知手段）。
【図１】
0005852455.tif 000002
【図２】
0005852455.tif 000003
【図３】
0005852455.tif 000004
【図４】
0005852455.tif 000005
【図５】
0005852455.tif 000006
【図６】
0005852455.tif 000007
【図７】
0005852455.tif 000008
【図８】
0005852455.tif 000009
【図９】
0005852455.tif 000010